(57)【要約】【課題】  正確な位置精度や地域指定の方法に基づいた携帯電話機の使用者の個人情報を一般の人が利用することが可能な携帯電話機情報視覚化装置を提供する。【解決手段】  携帯電話機情報視覚化装置（サーバ装置１）は、携帯電話端末（４−１〜４−ｎ）の通信事業者が有する携帯電話端末各々の情報を、空間、時間、速度、前記携帯電話端末の個別識別番号に付帯した情報、前記携帯電話端末の状態のうちの少なくとも一つの情報に基づいてグルーピングする手段（携帯電話端末グルーピング部１１）と、そのグルーピングした集団の構成数と当該集団の動きと当該集団と他の集団との関係を視覚化するための表示データを作成する手段（携帯電話端末表示データ作成部１２）とを有する。【選択図】      図１
2013013143.tif 000002
【特許請求の範囲】
【請求項１】
携帯電話端末の通信事業者が有する前記携帯電話端末各々の情報を、空間、時間、速度、前記携帯電話端末の個別識別番号に付帯した情報、前記携帯電話端末の状態のうちの少なくとも一つの情報に基づいてグルーピングする手段と、そのグルーピングした集団の構成数と当該集団の動きと当該集団と他の集団との関係を視覚化するための表示データを作成する手段とを有し、
前記グルーピングする手段は、予め設定されたゲートを通過した携帯電話端末をグルーピングし、
予め指定された時間内に前記ゲートを通過した携帯電話端末の数を要求先に返送して電子地図上に指定されたゲートの出口の近傍に表示させることを特徴とする携帯電話機情報視覚化装置。
【請求項２】
前記ゲートとして、入口と出口とを明確にした一方向性のゲートと、入口と出口との区別のない双方向性のゲートと、全周のどこから出てきてもカウントする全周性ゲートとを指定可能としたことを特徴とする請求項１記載の携帯電話機情報視覚化装置。
【請求項３】
前記ゲートとして、流入する携帯電話端末だけをカウントするゲートを指定可能としたことを特徴とする請求項１または請求項２記載の携帯電話機情報視覚化装置。
【請求項４】
請求項１から請求項３のいずれかに記載の携帯電話機情報視覚化装置を含むことを特徴とする携帯電話機情報視覚化システム。
【請求項５】
携帯電話機情報視覚化装置が、携帯電話端末の通信事業者が有する前記携帯電話端末各々の情報を、空間、時間、速度、前記携帯電話端末の個別識別番号に付帯した情報、前記携帯電話端末の状態のうちの少なくとも一つの情報に基づいてグルーピングし、そのグルーピングした集団の構成数と当該集団の動きと当該集団と他の集団との関係を視覚化するための表示データを作成し、
前記携帯電話機情報視覚化装置が、予め設定されたゲートを通過した携帯電話端末をグルーピングし、
予め指定された時間内に前記ゲートを通過した携帯電話端末の数を要求先に返送して電子地図上に指定されたゲートの出口の近傍に表示させることを特徴とする携帯電話機情報視覚化方法。
【請求項６】
前記ゲートとして、入口と出口とを明確にした一方向性のゲートと、入口と出口との区別のない双方向性のゲートと、全周のどこから出てきてもカウントする全周性ゲートとを指定可能としたことを特徴とする請求項５記載の携帯電話機情報視覚化方法。
【請求項７】
前記ゲートとして、流入する携帯電話端末だけをカウントするゲートを指定可能としたことを特徴とする請求項５または請求項６記載の携帯電話機情報視覚化方法。
【発明の詳細な説明】
【技術分野】
【０００１】
本発明は携帯電話機情報視覚化システム、携帯電話機情報視覚化装置及びそれらに用いる携帯電話機情報視覚化方法に関し、特に携帯電話機の使用者の個人情報を集団情報化して表示する方法に関する。
【背景技術】
【０００２】
携帯電話機の使用者の個人情報としては、加入者の氏名や年齢、性別、携帯電話機の位置情報等の個人情報がある。このような個人情報は、警察や消防が事件等の緊急事態対処のために使用する場合、あるいは保護者が子供の安全確保のためにＧＰＳ（Ｇｌｏｂａｌ  Ｐｏｓｉｔｉｏｎｉｎｇ  Ｓｙｓｔｅｍ）付き携帯電話機で子供の位置を確認する場合、さらに携帯電話機の保有者が本人の現在位置を確認する場合等での使用に限られている。
【０００３】
但し、本発明に関連する技術としては、携帯電話機の位置情報を利用して特定の地域の人口を推定するという方法が提案されている（例えば、特許文献１参照）。この方法では、携帯電話機の応答数を携帯電話機の普及率で割ることで人口の推定を行っている。
【先行技術文献】
【特許文献】
【０００４】
【特許文献１】特開２００３−１２２８７７号公報
【発明の概要】
【発明が解決しようとする課題】
【０００５】
上記のように、本発明に関連する技術では、携帯電話機の使用者の個人情報を利用することが可能なケースが上述したような場合に限られており、一般の人が、上記のような携帯電話機の使用者の個人情報を利用することができないようになっている。
【０００６】
また、上記の特許文献１に記載の技術では、携帯電話機の応答数を携帯電話機の普及率で割って人口を推定するという大雑把なものであり、ＧＰＳ等による現在位置の検出が行われておらず、位置精度や地域指定の方法が不正確である。
【０００７】
そこで、本発明の目的は上記の問題点を解消し、正確な位置精度や地域指定の方法に基づいた携帯電話機の使用者の個人情報を一般の人が利用することができる携帯電話機情報視覚化装置、携帯電話機情報視覚化システム及びそれらに用いる携帯電話機情報視覚化方法を提供することにある。
【課題を解決するための手段】
【０００８】
本発明による携帯電話機情報視覚化装置は、携帯電話端末の通信事業者が有する前記携帯電話端末各々の情報を、空間、時間、速度、前記携帯電話端末の個別識別番号に付帯した情報、前記携帯電話端末の状態のうちの少なくとも一つの情報に基づいてグルーピングする手段と、そのグルーピングした集団の構成数と当該集団の動きと当該集団と他の集団との関係を視覚化するための表示データを作成する手段とを備え、
前記グルーピングする手段は、予め設定されたゲートを通過した携帯電話端末をグルーピングし、
予め指定された時間内に前記ゲートを通過した携帯電話端末の数を要求先に返送して電子地図上に指定されたゲートの出口の近傍に表示させることを特徴とする。
【０００９】
本発明による携帯電話機情報視覚化システムは、上記の携帯電話機情報視覚化装置を含むことを特徴とする。
【００１０】
本発明による携帯電話機情報視覚化方法は、携帯電話機情報視覚化装置が、携帯電話端末の通信事業者が有する前記携帯電話端末各々の情報を、空間、時間、速度、前記携帯電話端末の個別識別番号に付帯した情報、前記携帯電話端末の状態のうちの少なくとも一つの情報に基づいてグルーピングし、そのグルーピングした集団の構成数と当該集団の動きと当該集団と他の集団との関係を視覚化するための表示データを作成し、
前記携帯電話機情報視覚化装置が、予め設定されたゲートを通過した携帯電話端末をグルーピングし、
予め指定された時間内に前記ゲートを通過した携帯電話端末の数を要求先に返送して電子地図上に指定されたゲートの出口の近傍に表示させることを特徴とする。
【発明の効果】
【００１１】
本発明は、上記のような構成及び動作とすることで、正確な位置精度や地域指定の方法に基づいた携帯電話機の使用者の個人情報を一般の人が利用することができるという効果が得られる。
【図面の簡単な説明】
【００１２】
【図１】本発明の第１の実施の形態による携帯電話機情報視覚化システムの構成例を示すブロック図である。
【図２】図１の携帯電話端末グルーピング部の構成例を示すブロック図である。
【図３】本発明の第１の実施の形態における個人情報を集団情報にグルーピングする方法を示す図である。
【図４】本発明の第１の実施の形態による携帯電話機情報視覚化システムの動作例を示すシーケンスチャートである。
【図５】本発明の第１の実施の形態による携帯電話端末の情報のグルーピング結果の表示例を示す図である。
【図６】本発明の第１の実施の形態による携帯電話端末の情報のグルーピング結果の他の表示例を示す図である。
【図７】本発明の第２の実施の形態によるサーバ装置の構成例を示すブロック図である。
【図８】本発明の第２の実施の形態におけるゲートを組み合わせた携帯電話端末の情報のグルーピング結果の表示例を示す図である。
【図９】本発明の第３の実施の形態によるサーバ装置の構成例を示すブロック図である。
【図１０】本発明の第３の実施の形態におけるグルーピング結果の表示例を示す図である。
【図１１】本発明の第３の実施の形態におけるグルーピング結果の他の表示例を示す図である。
【図１２】本発明の第４の実施の形態によるサーバ装置の構成例を示すブロック図である。
【図１３】本発明の第４の実施の形態におけるグルーピング結果の表示例を示す図である。
【図１４】本発明の第５の実施の形態による携帯電話機情報視覚化システムの構成例を示すブロック図である。
【図１５】本発明の第６の実施の形態による集団内相関を説明するための図である。
【図１６】本発明の第６の実施の形態による集団間相関を説明するための図である。
【発明を実施するための形態】
【００１３】
次に、本発明の実施の形態について図面を参照して説明する。まず、本発明の概要について説明する。本発明は、携帯電話端末を空間、時間、速度、携帯電話端末の個別識別番号に付帯した情報（住所、氏名、年齢等）、更に携帯電話端末の状態（電源ＯＮか、電源ＯＦＦか、通話通中か否か）等の情報を指定された情報に基づいてグルーピングし、グルーピングした集団の構成数、集団の動き、集団間の関係等を視覚化して表示するものである。
【００１４】
この場合、本発明では、指定した場所や指定した時間、あるいは指定した速度に基づいて、道路の渋滞状況やイベント会場の入場者数、電車の駅の混雑状況、過去の状況の再現、指定した集団と集団との関係等を分析して表示することができるため、正確な位置精度や地域指定の方法に基づいた携帯電話端末の使用者の個人情報を一般の人が利用することができる。尚、本発明は、上記の分析結果を用いるような分野、例えば交通運輸、旅行、小売、商品企画、危機管理等の広範な分野に適用することができる。
【００１５】
図１は本発明の第１の実施の形態による携帯電話機情報視覚化システムの構成例を示すブロック図である。図１において、本発明の第１の実施の形態による携帯電話機情報視覚化システムは、サーバ装置１と、電子地図データベース２と、携帯電話端末個別情報データベース３と、携帯電話端末４−１〜４−ｎ（ｎは正の整数）と、基地局５と、基地局制御装置６と、携帯電話端末やパーソナルコンピュータ（以下、パソコンとする）等のユーザ端末７と、ＩＰ（Ｉｎｔｅｒｎｗｔ  ｐｒｏｔｏｃｏｌ）網１００とから構成されている。
【００１６】
サーバ装置１は、通信事業者のサーバ装置であり、携帯電話端末４−１〜４−ｎの各種情報を指定された条件に基づいてグルーピングする携帯電話端末グルーピング部１１と、携帯電話端末グルーピング部１１でグルーピングされた情報を基にユーザ端末７への表示データを作成する携帯電話端末表示データ作成部１２とを備えている。また、サーバ装置１は、基地局５及び基地局制御装置６とともに移動通信網を形成している。
【００１７】
電子地図データベース２は、携帯電話端末４−１〜４−ｎの各種情報をグルーピングする際にユーザ端末７が指定条件を入力するための電子地図データを蓄積している。
【００１８】
携帯電話端末個別情報データベース３は、携帯電話端末４−１〜４−ｎの各種情報、つまり空間、時間、速度、携帯電話端末の個別識別番号に付帯した情報（住所、氏名、年齢等）、更に携帯電話端末の状態（電源ＯＮか、電源ＯＦＦか、通話通中か否か）等の情報を蓄積している。
【００１９】
図２は図１の携帯電話端末グルーピング部１１の構成例を示すブロック図である。図２において、携帯電話端末グルーピング部１１は、携帯電話端末情報取得部１１１と、グルーピング部１１２と、グループ構成数導出部１１３と、グループの動き検出部１１４と、グループの関係検出部１１５とを備えている。
【００２０】
携帯電話端末情報取得部１１１は、ユーザ端末７からの入力された指定条件を基に携帯電話端末個別情報データベース３から携帯電話端末４−１〜４−ｎの各種情報を取得する。グルーピング部１１２は、携帯電話端末情報取得部１１１で取得した携帯電話端末４−１〜４−ｎの各種情報を、ユーザ端末７から指定された条件に基づいてグルーピングする。
【００２１】
グループ構成数導出部１１３は、グルーピング部１１２でグルーピングされた情報を基に、グループ構成数を導出する。グループの動き検出部１１４は、グルーピング部１１２でグルーピングされた情報を基に、グループの動きを検出する。グループの関係検出部１１５は、グルーピング部１１２でグルーピングされた情報を基に、グループの関係を検出する。
【００２２】
携帯電話端末グルーピング部１１は、グルーピング部１１２、グループ構成数導出部１１３、グループの動き検出部１１４、グループの関係検出部１１５各々の結果をグルーピングされた情報及び検出結果として携帯電話端末表示データ作成部１２に渡す。携帯電話端末表示データ作成部１２は、携帯電話端末グルーピング部１１からのグルーピングされた情報及び検出結果を基にユーザ端末７からの要求に沿った表示データを作成する。
【００２３】
図３は図２のグルーピング部１１２における個人情報を集団情報にグルーピングする方法を示す図である。図３において、フィルタは、携帯電話端末個別情報データベース３に保管されている個々の携帯電話端末の位置情報、識別情報（ＩＤ番号、氏名、年齢、性別等）、あるいは通信状態等に関するログ情報のデータを、その個々の携帯電話端末を空間条件、時間条件、速度条件、ゲート条件等によってグルーピングし、個々の携帯電話端末のグルーピングを行う。
【００２４】
つまり、フィルタでは、携帯電話端末個別情報データベース３に保管されているデータをグルーピングして、空間グルーピング集団、時間グルーピング集団、速度グルーピング集団、ゲートグルーピング集団、ＩＤグルーピング集団、ロググルーピング集団等の集団情報を作成する。
【００２５】
したがって、本実施の形態では、このフィルタのグルーピング処理によって、個人情報である携帯電話端末のＩＤや位置情報等をグルーピングして不特定多数の集団の情報として編成することができる。
【００２６】
図４は本発明の第１の実施の形態による携帯電話機情報視覚化システムの動作例を示すシーケンスチャートである。これら図１〜図４を参照して本発明の第１の実施の形態による携帯電話機情報視覚化システムの動作について説明する。
【００２７】
サーバ装置１は、ユーザ端末７から電子地図要求を受信すると（図４のａ１）、電子地図データベース２から電子地図の読出しを行い（図４のａ２，ａ３）、読出した電子地図をユーザ端末７に送る（図４のａ４）。
【００２８】
その後、サーバ装置１では、ユーザ端末７が電子地図上にて任意の閉鎖図形（エリア）を指定して閉鎖図形内のグループの構成数、動き、関係を示す情報を要求してくると（図４のａ５，ａ６）、携帯電話端末グルーピング部１１において、携帯電話端末情報取得部１１１がその閉鎖図形に関連する携帯電話端末４−１〜４−ｎの各種情報（個別情報）を携帯電話端末個別情報データベース３から読出す（図４のａ７，ａ８）。
【００２９】
サーバ装置１では、携帯電話端末グルーピング部１１において、携帯電話端末情報取得部１１１が読出した個別情報携帯電話端末の状態に応じてグルーピング部１１２にてグルーピングを行う（図４のａ９）。携帯電話端末グルーピング部１１においては、グルーピング部１１２によるグルーピングの結果を基に、グループ構成数導出部１１３、グループの動き検出部１１４、グループの関係検出部１１５各々で処理を行い、その結果を携帯電話端末表示データ作成部１２に渡す。
【００３０】
サーバ装置１では、携帯電話端末表示データ作成部１２にて、携帯電話端末グルーピング部１１において求められたグループの構成数、動き、関係を示す表示データを作成し（図４のａ１０）、その表示データをユーザ端末７に送る（図４のａ１１）。ユーザ端末７は、送られてきた表示データを表示部（図示せず）に表示する（図４のａ１２）。
【００３１】
ここで、本実施の形態では、電子地図上で指定したいエリアを、ファンクションボタンやメニューボタン、あるいはタッチペンやマウス等を使って円や矩形等の閉鎖図形で囲み、そこで作成した閉鎖図形（エリア）の緯度経度の情報をサーバ装置１に送信する。サーバ装置１では、通信事業者が有するＧＰＳ（Ｇｌｏｂａｌ  Ｐｏｓｉｔｉｏｎｉｎｇ  Ｓｙｓｔｅｍ）等による携帯電話端末の位置情報と照合し、指定したエリアの中に存在する携帯電話端末の数を算出する。
【００３２】
例えば、円で指定する場合には、円の中心の緯度経度と半径Ｒとをサーバ装置１に送れば、サーバ装置１の中に保管されている顧客の携帯電話端末の位置情報を使って、円の中心から携帯電話端末の位置までの距離を測定し、その距離が円の半径Ｒより短いものを選び出してグルーピングする。
【００３３】
サーバ装置１は、グルーピングした集団内の携帯電話端末の数を、要求してきたユーザ端末７に返送し、ユーザ端末７の表示部において、電子地図上で指定した閉鎖図形（エリア）の内部あるいは閉鎖図形（エリア）の近傍に表示する。
【００３４】
図５は本発明の第１の実施の形態による携帯電話端末の情報のグルーピング結果の表示例を示す図である。図５においては、電子地図上に任意の閉鎖エリアを円で描き、その閉鎖エリアの内部に存在する携帯電話端末の数を示している。
【００３５】
まず、ユーザ端末７の使用者は、緯度経度の座標を持つ電子地図上に描いた閉鎖図形をサーバ装置１に送信する。サーバ装置１は、ユーザ端末７から送られてきた閉鎖図形の情報と、携帯電話端末個別情報データベース３に保有するＧＰＳ等による携帯電話端末の位置情報とを照合する。
【００３６】
図５に示す参照符号Ｏは、円の中心の座標を示す。Ｂ及びＣは、個々の携帯電話端末の位置である。これらの位置は全て緯度経度で表される。参照符号Ａは、円周上の１点であり、ＯＡは半径Ｒである。ＯＢ及びＯＣは、円の中心から個々の携帯電話端末までの距離である。ＯＢは円の半径ＯＡより短いので、Ｂ点の携帯電話端末は円の内側にある。一方、ＯＣは円の半径ＯＡより長いので、Ｃ点の携帯電話端末は円の外側に存在する。
【００３７】
また、図５において、２０は携帯電話端末の位置、２１は円の中心の緯度経度、２２は指定エリアを囲む円、２３は円の半径、２４は指定エリア内の携帯電話端末の数をそれぞれ示している。
【００３８】
本実施の形態では、上記のようにして、電子地図上の任意の場所に描いた円による閉鎖空間の中に存在する携帯電話端末の数を調べ、その結果を要求してきたユーザ端末７（パソコンや携帯電話端末）に返送して、電子地図上に描いた円による閉鎖図形の中に表記する。
【００３９】
図６は本発明の第１の実施の形態による携帯電話端末の情報のグルーピング結果の他の表示例を示す図である。図６においては、電子地図上に円でエリアを指定し、そのエリア内に存在する携帯電話端末の数が１２００台であることを示している。尚、図６において、２２は指定エリアを囲む円、２５は指定エリアの男女の携帯電話の数をそれぞれ示している。
【００４０】
エリア内の携帯電話端末の数は、携帯電話端末の個別識別番号に付随しているデータ（氏名、住所、性別、年齢等）によって更に分類することができる。ここでは、１２００台の携帯電話端末の持ち主は、８００台が男性で、４００台が女性であることを示している。実際には、携帯電話端末の数は、携帯電話端末を持った人がこのエリアに出入りするたびに変化するので、単位時間毎に数値を更新する。
【００４１】
このように、本実施の形態では、携帯電話端末４−１〜４−ｎに関する個人情報（個別情報）を集団情報としてグルーピングし、携帯電話端末４−１〜４−ｎの加入者である顧客が自ら進んでこのサービスに加入するための魅力あるコンテンツとして提供することができる。よって、本実施の形態では、正確な位置精度や地域指定の方法に基づいた携帯電話機の使用者の個人情報を集団情報化することで、一般の人がその情報を利用することができるようにしている。
【００４２】
図７は本発明の第２の実施の形態によるサーバ装置の構成例を示すブロック図である。図７において、サーバ装置１ａは、ゲート通過携帯電話端末検出部１３を追加した以外は、図１に示す本発明の第１の実施の形態によるサーバ装置１と同様の構成となっている。
【００４３】
本実施の形態では、閉鎖図形をエリアと見るのではなく、ゲートと考えて、閉鎖図形の中に存在する携帯電話端末ではなく、ゲートを通過した携帯電話端末をグルーピングすることによって、指定した時刻Ｔ１から時刻Ｔ２までにゲートを通過した携帯電話端末の延べ台数を要求してきたユーザ端末７（携帯電話端末やパソコン）に返送し、電子地図上に指定したゲートの出口の近傍に表示している。
【００４４】
また、本実施の形態では、ゲートについて、入り口と出口とを明確にした一方向性のゲートと、入り口と出口との区別のない双方向性のゲートと、円形のように３６０度どこから出てきてもカウントする全周性ゲートとを必要に応じて指定することができる。
【００４５】
さらに、本実施の形態では、上記のように、流出する携帯電話端末だけをカウントするゲートではなく、流入する携帯電話端末だけをカウントするゲートも必要に応じて指定することができる。
【００４６】
ゲート通過携帯電話端末検出部１３は、上記の処理を可能とするために、携帯電話端末個別情報データベース３から読出した携帯電話端末の位置情報を基に、予め設定されたゲート各々を入出する携帯電話端末を検出しており、その検出結果を保持している。
【００４７】
携帯電話端末グルーピング部１１は、ゲート通過携帯電話端末検出部１３に保持している検出結果を基に各ゲートを入出した携帯電話端末をグルーピングする。また、携帯電話端末グルーピング部１１は、ユーザ端末７から指定された時間内に各ゲートを入出した携帯電話端末の延べ台数を算出する。携帯電話端末表示データ作成部１２は、携帯電話端末グルーピング部１１で算出した延べ台数を電子地図上に指定したゲートの出口の近傍に表示するための表示データを作成する。
【００４８】
図８は本発明の第２の実施の形態におけるゲートを組み合わせた携帯電話端末の情報のグルーピング結果の表示例を示す図である。図８においては、ゲートを道路上に３箇所設置した例を示している。
【００４９】
図８のＡは左から右への一方通行のゲートであり、Ｂは右から左への一方通行のゲートであり、Ｃは全周性のゲートである。ユーザ端末７の使用者は、目的に応じて、車の流れや車線を考慮して、最適なゲートを選択して設置することが必要である。
【００５０】
本実施の形態では、図８に示すように、複数のゲートを設置し、Ａゲートを通過した携帯電話端末の数を求めることもできるが、これら携帯電話端末の延べ台数に対して論理演算を適用することによって、Ａゲートを通過し且つＢゲートを通過した携帯電話端末の数を求めることもできる。また、本実施の形態では、Ａゲートを通過しかつＢゲートを通過せずにＣゲートを通過した携帯電話端末の数も容易に求めることができる。
【００５１】
図９は本発明の第３の実施の形態によるサーバ装置の構成例を示すブロック図である。図９において、サーバ装置１ｂは、速度ベクトル導出部１４及び速度ベクトル比較部１５を追加した以外は、図１に示す本発明の第１の実施の形態によるサーバ装置１と同様の構成となっている。
【００５２】
速度ベクトル導出部１４は、携帯電話端末個別情報データベース３から読出した携帯電話端末の位置情報を基に、携帯電話端末４−１〜４−ｎを携帯する人物が歩行や自動車、あるいは電車で移動することによって生じる速度ベクトルを、ＧＰＳの位置情報の単位時間当たりの変化から、あるいは携帯電話端末４−１〜４−ｎの応答信号のドップラー周波数から個々の携帯電話機の速度ベクトルとして導出する。
【００５３】
速度ベクトル比較部１５は、速度ベクトル導出部１４で導出された速度ベクトル同士を比較し、その比較結果を携帯電話端末グルーピング部１１に渡す。携帯電話端末グルーピング部１１は、速度ベクトル比較部１５の比較結果を基に同じ大きさの速度ベクトルを持ったもの同士を一つのグループとしてグルーピングする。携帯電話端末表示データ作成部１２は、それらのグループの追尾結果を電子地図上に表示するように表示データを作成する。
【００５４】
図１０は本発明の第３の実施の形態におけるグルーピング結果の表示例を示す図である。図１０においては、道路上のベクトル集合を示しており、電子地図上の道路上に円形の閉鎖エリアを指定し、そのエリア内に存在する携帯電話端末の数を示している。図１０の２６，２７は速度ベクトル集団を示している。
【００５５】
上述した本発明の第１の実施の形態では、図１０に示す内容をスカラー表示しているので７０台の携帯電話端末を表示することとなる。しかしながら、本実施の形態では、ベクトル表示にしているので、方向や速度の異なるベクトルが別のグループとなるので、２０台が右向きに３０ｋｍ／ｈの速度で移動し、５０台が左向きに５０ｋｍ／ｈの速度で移動しているものと表示される。
【００５６】
図１１は本発明の第３の実施の形態におけるグルーピング結果の他の表示例を示す図である。図１１の３１は指定エリアを、３２は指定エリアから流出する速度ベクトル集団をそれぞれ示している。
【００５７】
図１１においては、指定エリアから流出するベクトル集合を示しており、指定したエリア内の携帯電話機の数５０００台が、速度ベクトル毎のグループを形成し、指定エリアから流出していく様子を示している（図１１の３１）。この場合、指定エリアを一つの色（例えば、赤）で塗ることで、指定エリアから流出していく携帯電話端末を同じ赤色で視覚的に追尾することができる。
【００５８】
図１１では、６４台の携帯電話端末が東へ５０ｋｍ／ｈで、４８台の携帯電話端末が東南東へ速度３６ｋｍ／ｈで、５２４台の携帯電話端末が南へ４ｋｍ／ｈで移動している状態を表示しているが（図１１の３２）、６４台の携帯電話端末は電車で移動中で、４８台の携帯電話端末はバスか車で移動中で、５２４台の携帯電話端末は徒歩で移動中であることが想像できる。
【００５９】
このように、本実施の形態では、閉鎖エリアを道路上に設定して、その内部に存在する携帯電話端末をベクトル表示することで、任意の場所の渋滞状況を簡単に知ることができる。つまり、本実施の形態では、携帯電話端末をグルーピングした集団をスカラーで表現するだけでなく、ベクトルで表現することによって、集団がどの方向にどのくらいの速度で移動しているのか等の情報を視覚化することができる。
【００６０】
すなわち、本実施の形態では、速度グルーピングを行うために、指定した電子地図上の閉鎖図形の中に存在する携帯電話端末を、携帯電話端末が移動する時に生じる速度ベクトル（ＧＰＳの位置信号の変化、あるいは携帯電話端末の応答信号のドップラー周波数を測定して算出）を使って、速度ベクトルの方向と大きさとが同じ携帯電話端末をグルーピングしている。
【００６１】
この場合、本実施の形態では、グルーピングした集団の携帯電話端末の数が設定した一定の値を越えた場合、新たな速度ベクトル集団として登録し、任意の図形で表記し、その移動方向を矢印で速度の大きさを数字で表示している（図１１参照）。
【００６２】
また、本実施の形態では、上記の方法で道路上に任意のエリアを指定し、其の中に存在する携帯電話端末をベクトル表示することによって、そのエリア内の携帯電話端末の数と速度とが分かるため、そのエリアにおける車の渋滞状況を知ることができる。
【００６３】
更に、本実施の形態では、速度ベクトルの集団が一定の速度より早い場合（例えば、６ｋｍ／ｈより早い場合）、その集団が電子地図上の道路の近くにあれば車に乗った集団と判断し、鉄道の近くであれば電車に乗った集団と判断して表記することもできる。
【００６４】
尚、本実施の形態では、上記のようにグルーピングして登録した速度ベクトルの集団が次第に分離し、集団を構成する携帯電話端末の数が少なくなれば、携帯電話端末の保有者の自宅や会社が判明する可能性があるため、速度ベクトルの集団の携帯電話端末の数が、設定した一定の値より少なくなった時点で個人情報保護の観点からその集団の表記を風船のように弾けて消滅させるように表示することもできる。
【００６５】
図１２は本発明の第４の実施の形態によるサーバ装置の構成例を示すブロック図である。図１２において、サーバ装置１ｃは、携帯電話端末移動軌跡記録部１６を追加した以外は、図９に示す本発明の第３の実施の形態によるサーバ装置１ｂと同様の構成となっている。
【００６６】
携帯電話端末移動軌跡記録部１６は、速度ベクトル導出部１４及び速度ベクトル比較部１５の結果を基に携帯電話端末グルーピング部１１でグルーピングされた速度ベクトル集団Ａの軌跡を記録する。
【００６７】
携帯電話端末グルーピング部１１は、携帯電話端末移動軌跡記録部１６に記録された速度ベクトル集団Ａの軌跡と直交する直線を引き、軌跡からの直線の長さが距離Ｒより短い距離にある携帯電話端末を全てグルーピングする。携帯電話端末表示データ作成部１２は、グルーピングされた集団の携帯電話端末の数ｎを基に、電子地図上の速度ベクトル集団Ａの後方にＡ（Ｒ）＝ｎのように表示するための表示データを作成する。
【００６８】
また、本実施の形態では、Ａ（Ｒ）＝ｎのような集団を、境界のはっきりした集団として表現することが困難な場合も生じるので、その場合にはベクトル表示だけでなく、煙の拡散や水の流れのようなイメージで表現することも可能である。
【００６９】
図１３は本発明の第４の実施の形態におけるグルーピング結果の表示例を示す図である。図１３の４１は速度ベクトル集団Ａを、４２は速度ベクトル集団Ａの軌跡をそれぞれ示している。
【００７０】
図１３においては、符号４１を鳥インフルエンザ等の感染者の集合と仮定すれば、感染者が移動した軌跡が符号４２である。本実施の形態では、この軌跡と直交する直線を引き、軌跡からの距離Ｒ（例えば、５ｍ以内）の人を感染者に接触した疑いのある人と仮定して、その人々をグルーピングすることによって、感染症予備軍の集団を把握して追跡することができる。
【００７１】
このように、本実施の形態では、携帯電話端末が移動した時に、その携帯電話端末の軌跡の周りに存在する携帯電話端末をグルーピングすることによって、例えば伝染病の感染者が動いた経路や感染者に接触した可能性のある人々に関する的確な情報等を得ることができる。
【００７２】
図１４は本発明の第５の実施の形態による携帯電話機情報視覚化システムの構成例を示すブロック図である。図１４においては、携帯電話端末の個人情報をグルーピングして集団情報にするためのシステムを示している。
【００７３】
本実施の形態によるシステムの大部分は、携帯電話端末の通信事業者が保有する既存のシステムであり、この既存システムを使って、消防に電話をした人の現在地が自動的に表示されるサービスや本人の現在地を知らせるサービス、あるいは子供の居場所を保護者に知らせるサービス等が、限定された利用者に対するサービスとして既に実施されている。
【００７４】
図１４において、本発明の第５の実施の形態による携帯電話機情報視覚化システムは、ＨＬＲ（Ｈｏｍｅ  Ｌｏｃａｔｉｏｎ  Ｒｅｇｉｓｔｅｒ）（＃１〜＃ｎ）５１−１〜５１−ｎと、位置情報サーバ５２と、契約者情報５３と、位置情報の保存ストレージ５４と、集団化処理プロセッサ５５と、入出力インタフェース５６とを備えている。
【００７５】
図１４においては、位置情報サーバ５２に対して限定された利用者（例えば、警察、消防、保護者、本人等）からの個人情報の要求があると、それに対して個人情報の返信を行っている。また、入出力インタフェース５６に対して一般の利用者から集団情報の要求があると、それに対して集団情報の返信を行っている。
【００７６】
ＨＬＲ（＃１〜＃ｎ）５１−１〜５１−ｎと位置情報サーバ５２と契約者情報５３とは、携帯電話端末の通信事業者が保有する既存のシステムである。本実施の形態では、この既存のシステムに集団化処理プロッセサ５５を追加し、携帯電話端末の個人情報を空間、時間、速度等でグルーピングして集団化している。また、本実施の形態では、個々の携帯電話端末の位置情報をある程度の期間保存するための巨大なストレージ（位置情報の保存ストレージ５４）と、利用者が集団情報を要求する時に携帯電話端末やパソコン等のユーザ端末とシステムとを結ぶインタフェース（入出力インタフェース５６）とを備えている。
【００７７】
本実施の形態では、携帯電話端末の位置情報を位置情報の保存ストレージ５４に記録し、必要に応じて読出せるように構成している。そして、本実施の形態では、この位置情報の保存ストレージ５４に記録した過去の位置情報を使って、電子地図上の閉鎖図形の中に存在する携帯電話端末を現在の時刻の携帯電話端末ではなく、過去の指定した時刻の携帯電話端末でグルーピングし、グルーピングした過去の集団の携帯電話端末の数を要求してきた携帯電話端末やパソコン等のユーザ端末に返送し、電子地図上に指定した閉鎖図形の内部あるいは閉鎖図形の近傍に表示している。
【００７８】
一般的に、伝染病患者は、日本に入国して数日後に発病することが多い。そのような場合には、上記の位置情報の保存ストレージ５４から感染者が日本に入国した数日前の携帯電話端末の位置情報を呼び出し、過去の位置情報に基づいて上記の接触集団を把握することができる。
【００７９】
これによって、本実施の形態では、感染症の拡大を防ぐための的を絞った消毒や隔離等の最も効果的な対策を実施することができる。この他、過去の位置情報を使うものとしては、犯罪の起こった時点に戻って現場を再現することができるため、犯人その者、あるいは近くにいた目撃者の携帯電話端末の状況が再現されるため、犯人検挙率の向上に効果を発揮するものと思われる。
【００８０】
図１５は本発明の第６の実施の形態による集団内相関を説明するための図であり、図１６は本発明の第６の実施の形態による集団間相関を説明するための図である。尚、本発明の第６の実施の形態による携帯電話機情報視覚化システムの構成は、図１に示す本発明の第１の実施の形態による携帯電話機情報視覚化システムと同様の構成となっているので、その説明を省略する。
【００８１】
また、以下に述べる同一集団内の構成要員の親密度に相当する相関度、異なる集団間の親密度に相当する相関度は、図２に示す本発明の第１の実施の形態によるサーバ装置１の携帯電話端末グルーピング部１１内における、グループ構成数導出部１１３、グループの動き検出部１１４、グループの関係検出部１１５によって算出することができるので、本実施の形態によるサーバ装置の図示は省略する。
【００８２】
図１５においては、同一集団内の構成要員の親密度に相当する相関度を表しており、集団内で互いに通話している回線が何回線あるかを調べて集団の携帯電話端末の数で割った数字で表す。この場合、同一集団内の構成要員の親密度は、％で表すことも、単に携帯電話端末の数と回線の数とを併記する方法でもよい。図１５では、集団の携帯電話端末の数が５００台で、通話中の回線が６回線であるのでの、相関度は０．０１２で、１．２％である。
【００８３】
図１６においては、異なる集団間の親密度に相当する相関度を表しており、ここではＡ集団とＢ集団との間で互いに通話している回線が何回線あるかを調べて集団の携帯電話端末の数で割った数字で表す。図１６の場合には、Ａ集団とＢ集団との間に通話している回線が２回線あり、Ａ集団は携帯電話端末が２００台で、Ｂ集団は携帯電話端末が５００台なので、Ａ集団から見たＢ集団の相関度は１％で、Ｂ集団からみたＡ集団の相関度は０．４％となる。
【００８４】
相関度は、上記の説明のように、その時の通話状態で判断することもできるが、正確な相関度を出すためには、ある程度時間をかけて計測する方がより好適である。
【００８５】
更に、上記の様々な条件でグルーピングした集団と集団に、ＡＮＤやＯＲやＮＡＮＤ等の論理演算を行うことにより、更に複雑な条件に基づくグルーピングが可能となり、ユーザが欲しいと思う集団を自由に作ることのできる選択肢が増加することで、道路の渋滞状況やデパートや駅のリアルタイムな入場者数、大事故が発生した現場における人の行動や過去に起こった事件現場の再現等の他に、ゲートＡを通りゲートＢは通らずゲートＣを通った集団等の様な複雑なアプリケーションを簡単な操作で提供することを特徴とする。
【００８６】
更に、本発明は携帯電話の通信ログを利用することによって、集団の中の携帯電話機同士の通話やメールの回数、あるいはＡ集団とＢ集団の間の通話やメールの回数を集団の分母である携帯電話機の数で割ることによって、独立した関係だけでなく、集団内あるいは集団と集団の関係の深さを表示することを特徴とする。
【００８７】
このように、本実施の形態では、携帯電話端末の状態（電源ＯＮか電源ＯＦＦか、通話中か待機中か、通話中の回線の接続先、メールの送信先、インタネットのサイトとの接続状況等）の情報を使うことによって、上記の本発明の第１〜第５の実施の形態による各種条件でグルーピングした集団において、その集団内の相関度、あるいは集団と集団との相関度を分析して表示することができる。
【００８８】
このように、本発明では、携帯電話端末の通信事業者が保有する情報（性別、職業、年齢、住所、家族等）や携帯電話端末の状態（通話中か否か等）を活用することによって、多種多様な集団に分類してその多様な集団の特徴や動きの情報をうることができる。
【００８９】
加えて、本発明では、携帯電話端末の通信ログ等を利用することによって、集団内あるいは集団と集団との関係の深さに関する情報（通信中の回線数／携帯電話端末の数）を得ることができる。
【００９０】
本発明では、上述した各実施の形態による方法を組み合わせることによって、日本全国あらゆる道路の渋滞状況や都会の昼と夜の人口の移動状況、デパートやイベント会場、あるいは野球場等のリアルタイムな入場者数、またその入場者がどこから集まり、どこに帰るのか、あるいは男女のグループによる行動の相違、さらに大事故が発生した現場における人の行動や過去に起こった事件現場の状況、伝染病患者の感染経路等、集団と集団との関係が深いか浅いか等の様々な情報を得ることができる。
【００９１】
尚、本発明は、携帯電話端末の付帯情報のグルーピングを行うために、閉鎖図形の中に存在する携帯電話端末を、携帯電話端末の識別番号に付帯した苗字や年齢、性別等でグルーピングし、グルーピングした集団の携帯電話機の数を要求してきた携帯電話端末やパソコン等のユーザ端末に返送し、電子地図上に表示することも可能である。
【００９２】
また、本発明は、将来、携帯電話端末のログにインタネットのサイトへのアクセス回数やランドマークを訪れた回数等が記録されれば、それらの情報を使って更に多様なグルーピングをすることも可能である。
【００９３】
さらに、本発明では、携帯電話端末の状態情報のグルーピングを行うために、閉鎖図形の中に存在する携帯電話端末を、携帯電話端末の状態（通話通中かスタンバイ中か等）によってグルーピングし、グルーピングした集団の携帯電話端末の数及びその状態を、それらの情報を要求してきた携帯電話端末やパソコン等のユーザ端末に返送し、電子地図上に表示することも可能である。
【００９４】
さらにまた、本発明では、上述した各実施の形態による方法でグルーピングした集団が、時間の変化とともに空間内の携帯電話端末の数や集団の速度ベクトル、あるいは携帯電話端末の通話状態等が変化するので、その変化を単位時間毎に更新することも可能である。
【００９５】
本発明では、指定したエリアを囲む閉鎖図形を一つの色（例えば、赤色）で塗りつぶし、そのエリアから流出した同じ速度ベクトルを持った集団を、あらゆる方向に何個形成されても、閉鎖図形と同じ色で表記することも可能である。
【００９６】
また、上記の赤で塗りつぶした指定したエリアが継続して指定されている場合には、そのエリアから流出した同じ速度ベクトルの構成要素の携帯電話端末が離散集合を繰り返し、設定数より増えたり減ったりする場合、その集団を表現する図形も消えたり現れたりさせることも可能である。
【００９７】
更に、指定エリアを取り消した場合には、その指定エリアから流出した集団の図形も全て消滅させることも可能である。
【００９８】
本発明では、指定したエリアＡを含むより大きなエリアＢを設定し、エリアＢの中に存在する携帯電話端末の数Ｚのベクトルを調べて、Ｚの中からＡ方向を向いたベクトルを選び出し、その数を表記することによって、どこからどれだけの人がＡ方向に向かって集まりつつあるかを知ることができる。
【００９９】
本発明では、グルーピングした様々な集団の中に含まれる携帯電話端末の数Ｘと、人間の数Ｙと、あるいは携帯電話端末の数Ｘと自動車の数Ｚとの間に１対１の対応はないが、なんらかの相関関係があると仮定し、集団内の人間の数Ｙや自動車の数Ｚを実際に計測するか、公表されている人口統計資料等から取得し、Ｙ＝Ｆ（Ｘ）やＺ＝Ｇ（Ｘ）を満足する関数Ｆや関数Ｇを確定する。本発明では、その関数Ｆや関数Ｇを使って携帯電話端末の数Ｘから推定人口の数Ｙや推定車両量数Ｚを導出して表示することもできる。
【０１００】
Ｙ＝Ｆ（Ｘ）やＺ＝Ｇ（Ｘ）は、地域や時間によって一様ではなく、ばらつきがあるため、なるべく時間や地域を細分化して数多くのデータを取得し、それぞれの地域や時間帯に応じて重み関数を設定して精度を向上すればより好適である。
【０１０１】
本発明では、様々な条件でグルーピングした集団と集団とに、ＡＮＤ（アンド）演算やＯＲ（オア）演算、ＮＡＮＤ（ナンド）演算等の論理演算を行うことによって、更に複雑な条件に基づくグルーピングが可能となり、ユーザが欲しいと思う集団を自由に作ることができる選択肢を増加させることができる。
【０１０２】
本発明では、様々な条件でグルーピングした集団が、空間、時間、速度、携帯電話端末の数やその状態等の多変数関数であるため、ユーザが欲しいと思う集団の情報を求めるために、多変数関数のどの変数を固定し、どの変数を変化させるのかを明確にする必要がある。
【０１０３】
そのため、本発明では、ユーザが目的―場所―時間等を選択することで、エリアを固定するのか、初期設定の携帯電話端末の数を固定するのか、速度を固定するのか等を自動的に設定することができる。
【０１０４】
以上、本発明の好適な実施の形態について説明したが、本発明は、上記の実施の形態に限定されるものでなく、本発明の技術を逸脱しない範囲で種々の設計変更が可能であることはいうまでもない。
【０１０５】
上記の実施の形態の一部又は全部は、以下の付記のようにも記載され得るが、以下の記載に限定されない。
【０１０６】
［付記１］
携帯電話端末の通信事業者が有する前記携帯電話端末各々の情報を、空間、時間、速度、前記携帯電話端末の個別識別番号に付帯した情報、前記携帯電話端末の状態のうちの少なくとも一つの情報に基づいてグルーピングする手段と、そのグルーピングした集団の構成数と当該集団の動きと当該集団と他の集団との関係を視覚化するための表示データを作成する手段とを有し、
前記グルーピングする手段は、予め設定されたゲートを通過した携帯電話端末をグルーピングし、
予め指定された時間内に前記ゲートを通過した携帯電話端末の数を要求先に返送して電子地図上に指定されたゲートの出口の近傍に表示させ、
前記グルーピングする手段は、前記時間の情報に基づいてグルーピングを行う際に、前記通信事業者が保有する前記携帯電話端末の位置情報をストレージに記録し、そのストレージに記録した過去の位置情報を用いて前記携帯電話端末各々の情報をグルーピングすることを特徴とする携帯電話機情報視覚化装置。
【０１０７】
［付記２］
前記グルーピングする手段は、前記速度の情報に基づいてグルーピングを行う際に、前記携帯電話端末が移動する時に生じる速度ベクトルの方向と大きさとが同じ携帯電話端末をグルーピングし、そのグルーピングした集団の携帯電話端末の数が設定した一定の値を越えた場合に新たな速度ベクトル集団として登録し、当該速度ベクトル集団を任意の図形で表記させるとともに、その移動方向を矢印で表示させ、その速度の大きさを数字で表示させることを特徴とする付記１に記載の携帯電話機情報視覚化装置。
【０１０８】
［付記３］
前記速度ベクトル集団が次第に分離し、当該速度ベクトル集団を構成する携帯電話端末の数が設定した一定値より少なくなった時に当該速度ベクトル集団の図形を消滅させることを特徴とする付記２に記載の携帯電話機情報視覚化装置。
【０１０９】
［付記４］
前記グルーピングする手段は、前記速度ベクトル集団の軌跡に直交する直線を引き、その直線の長さが所定距離より短い距離にある携帯電話端末をグルーピングし、そのグルーピングした携帯電話端末の数を当該速度ベクトル集団の図形に関連付けて表示させることを特徴とする付記２または付記３に記載の携帯電話機情報視覚化装置。
【０１１０】
［付記５］
前記グルーピングする手段にてグルーピングした集団の携帯電話端末各々の情報の変化を単位時間毎に更新することを特徴とする付記１から付記４のいずれかに記載の携帯電話機情報視覚化装置。
【０１１１】
［付記６］
前記グルーピングする手段にてグルーピングした集団の携帯電話端末の数と人間の数との相関関係の関数、または前記携帯電話端末の数と自動車の数との相関関係の関数を確定し、その関数を用いて推定人口または推定車両量数を導出して表示させることを特徴とする付記１から付記５のいずれかに記載の携帯電話機情報視覚化装置。
【０１１２】
［付記７］
前記グルーピングする手段にてグルーピングした集団と他の集団とにおいて、前記情報の論理演算を行って複雑な条件に基づくグルーピングを行うことを特徴とする付記１から付記６のいずれかに記載の携帯電話機情報視覚化装置。
【０１１３】
［付記８］
前記グルーピングする手段にてグルーピングした集団において、少なくともユーザが設定した目的、場所、時間に基づいて、エリアと初期設定の携帯電話端末の数と速度とのうちの少なくともいずれか一つを固定することを特徴とする付記１から付記７のいずれかに記載の携帯電話機情報視覚化装置。
【０１１４】
［付記９］
前記グルーピングする手段にてグルーピングした集団において、前記携帯電話端末の状態情報に基づいて当該集団内の相関度あるいは当該集団と他の集団との相関度を分析して表示させることを特徴とする付記１から付記８のいずれかに記載の携帯電話機情報視覚化装置。
【０１１５】
［付記１０］
携帯電話機情報視覚化装置が、携帯電話端末の通信事業者が有する前記携帯電話端末各々の情報を、空間、時間、速度、前記携帯電話端末の個別識別番号に付帯した情報、前記携帯電話端末の状態のうちの少なくとも一つの情報に基づいてグルーピングし、そのグルーピングした集団の構成数と当該集団の動きと当該集団と他の集団との関係を視覚化するための表示データを作成し、
前記携帯電話機情報視覚化装置が、予め設定されたゲートを通過した携帯電話端末をグルーピングし、
予め指定された時間内に前記ゲートを通過した携帯電話端末の数を要求先に返送して電子地図上に指定されたゲートの出口の近傍に表示させ、
前記携帯電話機情報視覚化装置が、前記時間の情報に基づいてグルーピングを行う際に、前記通信事業者が保有する前記携帯電話端末の位置情報をストレージに記録し、そのストレージに記録した過去の位置情報を用いて前記携帯電話端末各々の情報をグルーピングすることを特徴とする携帯電話機情報視覚化方法。
【０１１６】
［付記１１］
前記携帯電話機情報視覚化装置が、前記速度の情報に基づいてグルーピングを行う際に、前記携帯電話端末が移動する時に生じる速度ベクトルの方向と大きさとが同じ携帯電話端末をグルーピングし、そのグルーピングした集団の携帯電話端末の数が設定した一定の値を越えた場合に新たな速度ベクトル集団として登録し、当該速度ベクトル集団を任意の図形で表記させるとともに、その移動方向を矢印で表示させ、その速度の大きさを数字で表示させることを特徴とする付記１０に記載の携帯電話機情報視覚化方法。
【０１１７】
［付記１２］
前記携帯電話機情報視覚化装置が、前記速度ベクトル集団が次第に分離し、当該速度ベクトル集団を構成する携帯電話端末の数が設定した一定値より少なくなった時に当該速度ベクトル集団の図形を消滅させることを特徴とする付記１１に記載の携帯電話機情報視覚化方法。
【０１１８】
［付記１３］
前記携帯電話機情報視覚化装置が、前記速度ベクトル集団の軌跡に直交する直線を引き、その直線の長さが所定距離より短い距離にある携帯電話端末をグルーピングし、そのグルーピングした携帯電話端末の数を当該速度ベクトル集団の図形に関連付けて表示させることを特徴とする付記１１または付記１２に記載の携帯電話機情報視覚化方法。
【０１１９】
［付記１４］
前記携帯電話機情報視覚化装置がグルーピングした集団の携帯電話端末各々の情報の変化を単位時間毎に更新することを特徴とする付記１０から付記１３のいずれかに記載の携帯電話機情報視覚化方法。
【０１２０】
［付記１５］
前記携帯電話機情報視覚化装置がグルーピングした集団の携帯電話端末の数と人間の数との相関関係の関数、または前記携帯電話端末の数と自動車の数との相関関係の関数を確定し、その関数を用いて推定人口または推定車両量数を導出して表示させることを特徴とする付記１０から付記１４のいずれかに記載の携帯電話機情報視覚化方法。
【０１２１】
［付記１６］
前記携帯電話機情報視覚化装置がグルーピングした集団と他の集団とにおいて、前記情報の論理演算を行って複雑な条件に基づくグルーピングを行うことを特徴とする付記１０から付記１５のいずれかに記載の携帯電話機情報視覚化方法。
【０１２２】
［付記１７］
前記携帯電話機情報視覚化装置がグルーピングした集団において、少なくともユーザが設定した目的、場所、時間に基づいて、エリアと初期設定の携帯電話端末の数と速度とのうちの少なくともいずれか一つを固定することを特徴とする付記１０から付記１６のいずれかに記載の携帯電話機情報視覚化方法。
【０１２３】
［付記１８］
前記携帯電話機情報視覚化装置がグルーピングした集団において、前記携帯電話端末の状態情報に基づいて当該集団内の相関度あるいは当該集団と他の集団との相関度を分析して表示させることを特徴とする付記１０から付記１７のいずれかに記載の携帯電話機情報視覚化方法。
【符号の説明】
【０１２４】
１，１ａ〜１ｃ  サーバ装置
２  電子地図データベース
３  携帯電話端末個別情報データベース
４−１〜４−ｎ  携帯電話端末
５  基地局
６  基地局制御装置
７  ユーザ端末
１１  携帯電話端末グルーピング部
１２  携帯電話端末表示データ作成部
１３  ゲート通過携帯電話端末検出部
１４  速度ベクトル導出部
１５  速度ベクトル比較部
１６  携帯電話端末移動軌跡記録部
２０  携帯電話機の位置
２１  円の中心の緯度経度
２２  指定エリアを囲む円
２３  円の半径
２４  指定エリア内の携帯電話の数
２５  指定エリアの男女の携帯電話の数
２６，２７  速度ベクトル集団
３１  指定エリア
３２  指定エリアから流出する速度ベクトル集団
５１−１〜５１〜ｎ  ＨＬＲ（＃１〜＃ｎ）
５２  位置情報サーバ
５３  契約者情報
５４  位置情報の保存ストレージ
５５  集団化処理プロセッサ
５６  入出力インタフェース
１００  ＩＰ網
１１１  携帯電話端末情報取得部
１１２  グルーピング部
１１３  グループ構成数導出部
１１４  グループの動き検出部
１１５  グループの関係検出部
【図１】
2013013143.tif 000003
【図２】
2013013143.tif 000004
【図３】
2013013143.tif 000005
【図４】
2013013143.tif 000006
【図５】
2013013143.tif 000007
【図６】
2013013143.tif 000008
【図７】
2013013143.tif 000009
【図８】
2013013143.tif 000010
【図９】
2013013143.tif 000011
【図１０】
2013013143.tif 000012
【図１１】
2013013143.tif 000013
【図１２】
2013013143.tif 000014
【図１３】
2013013143.tif 000015
【図１４】
2013013143.tif 000016
【図１５】
2013013143.tif 000017
【図１６】
2013013143.tif 000018